(57)【要約】【課題】使い捨てではなく、再利用可能である醤油やソース等の液体状の調味料を入れることのできる弁当用液体調味料容器を提供する。【解決手段】合成樹脂により、スポイトの原理を利用できるよう、上下に縮重および弾発する蛇腹部１を設けた有底の円筒状をした容器本体２を形成すると共に、該容器本体２の上端に設けられた天板３の中央に、小径の吸入・排出パイプ４の基端部を開口連結し、且つ該吸入・排出パイプ４の先方部は、注射針状に斜めにカットした斜め開口部５を備えて形成される。【選択図】図２
0003199124.tif 000002
【実用新案登録請求の範囲】
【請求項１】
合成樹脂により、上下に縮重および弾発する蛇腹部を設けた有底の円筒状をした容器本体を形成すると共に、該容器本体の上端に設けられた天板の中央に、小径の吸入・排出パイプの基端部を開口連結し、且つ該吸入・排出パイプの先方部は、注射針状に斜めにカットした斜め開口部を備えたことを特徴とする弁当用液体調味料容器。
【考案の詳細な説明】
【技術分野】
【０００１】
本考案は、醤油やソース等の液体状の調味料を入れることのできる弁当用液体調味料容器に関するものである。
【背景技術】
【０００２】
従来、一般に広く使用されている弁当用の醤油やソース等の液体調味料は、魚型、ビン型、動物型等の小さな弾力性を有する合成樹脂製容器に入れられて、ねじ蓋を用いて蓋をして弁当内に収納されており、使用に当っては、ねじ蓋を取去って、指で前記合成樹脂製容器を圧縮して、液体調味料を弁当のおかずの上に垂らして味付けをしていた。
【０００３】
また、弁当用調味料容器につき、過去の特許文献を遡及検索したところ、下記の特許文献に示す「片手で扱える調味料容器」が開示されている。
【先行技術文献】
【特許文献】
【０００４】
【特許文献１】実用新案登録第３１３０７３７号公報
【考案の開示】
【考案が解決しようとする課題】
【０００５】
前記従来一般に使用されている合成樹脂製容器は、使い捨てであって、資源の無駄使いであるという課題があり、また前記特許文献１記載の「片手で扱える調味料容器は、従来一般に使用されているネジ付きキャップの代わりに、爪楊枝状丸棒栓を調味料を入れた容器に差込んで蓋をし、使用に当っては、前記爪楊枝状丸棒栓を口にくわえて取外したり、あるいは手で引き抜くという片手操作で簡単に引き抜くことができるよう形成されているが、前記一般に使用されている合成樹脂製容器と同様に、使いすてであって、資源の無駄使いであるという課題があった。
【０００６】
本考案は、前記課題を解決すべくなされたものであって、スポイトの原理を利用できるよう、容器本体を蛇腹状に構成すると共に、該容器本体に入れられた醤油やソース等の液状調味料を弁当のおかず上に垂らす排出口先端部分を注射針状に、斜めにカットして、吸い込み開口部の表面積を大として液状調味料の吸い込み量を多くすると共に、注射針状に斜めにカットした部分を弁当のおかずに差込んで調味料を外部に漏らすこともなく、浸透させることができるので、調味料の節約ができる一方、おかずの味が濃厚になり、更に使い捨てではなく、繰返し使用することができるので、資源の無駄使いではなく、資源の有効利用を図ることができる弁当用液体調味料容器を提供しようとするものである。
【課題を解決するための手段】
【０００７】
本考案は、合成樹脂により、上下に縮重および弾発する蛇腹部を設けた有底の円筒状をした容器本体を形成すると共に、該容器本体の上端に設けられた天板の中央に、小径の吸入・排出パイプの基端部を開口連結し、且つ該吸入・排出パイプの先方部は、注射針状に斜めにカットした斜め開口部を備えるという手段を採用することにより、上記課題を解決した。
【考案の効果】
【０００８】
前記構成より成る本考案によれば、スポイトの原理を利用できるよう、容器本体を蛇腹状に構成すると共に、該容器本体に入れられた醤油やソース等の液状調味料を弁当のおかず上に垂らす排出口先端部分を注射針状に、斜めにカットして、吸い込み開口部の表面積を大として液状調味料の吸い込み量を多くすると共に、注射針状に斜めにカットした部分を弁当のおかずに差込んで調味料を外部に漏らすこともなく、浸透させることができるので、調味料の節約ができる一方、おかずの味が濃厚になり、更に使い捨てではなく、繰返し使用することができるので、資源の無駄使いではなく、資源の有効利用を図ることができるという優れた効果を奏することができる。
【図面の簡単な説明】
【０００９】
【図１】本考案弁当用液体調味料容器のキャップを取外した状態を示す正面図である。
【図２】本考案弁当用液体調味料容器の一部を切り欠いて示す正面図である。
【図３】本考案弁当用液体調味料容器の使用状態を示す斜視図である。
【実施例】
【００１０】
本考案弁当用液体調味料容器は、ポリプロピレン等の耐熱性および耐薬品性に優れている合成樹脂により、上下に縮重および弾発する蛇腹部１を設けた有底の円筒状をした容器本体２を形成すると共に、該容器本体２の上端に設けられた天板３の中央に、小径の円筒状の調味料を吸入または排出する吸入・排出パイプ４の基端部を開口連結し、且つ該吸入・排出パイプ４の先方部は、注射針のように斜めにカットした斜め開口部５を備えて形成されている。
【００１１】
更に、前記容器本体２に、上方よりキャップ６を被冠固定するよう形成されているが、その構成は任意であり、特に限定する必要はないが、好ましくは、図１に示すように構成することが推奨される。すなわち、図に示すように、前記吸入・排出パイプ４の外周面に、該吸入・排出パイプ４に上方より被冠して、ねじ止め固定するキャップ６内に刻設された雌ねじ（図示せず）に螺合する雄ねじ７を周設して形成されている。
【００１２】
前記構成より成る本考案弁当用液体調味料容器の作用について説明する。先ず、容器本体２からキャップ６を取外し、該容器本体２を持って、図３に示すように蛇腹部１を縮重し、前記吸入・排出パイプ４の先方部の斜め開口部５を醤油やソース等の液体調味料８内に浸漬して、前記蛇腹部１の圧縮状態を解除すると、該蛇腹部１が弾発して、前記容器本体２内に液体調味料８を吸入することができる。
【００１３】
この際、液体調味料８を吸入する吸入・排出パイプ４の先方部は注射針状の斜め開口部５に形成されているため、開口部５の表面積が大となり、そのため前記液体調味料８の吸入速度が早く、また調味料容器９内に入れた液体調味料８の残り量が少なくなっても、前記斜め開口部５の尖っている先端部を使用して吸入できるので、該液体調味料８を調味料容器９に残すことなく吸入することができる。
【００１４】
前記液体調味料８を調味料容器９から吸入した容器本体２の吸入・排出パイプ４上にキャップ６を被冠して、図示していない雌ねじを前記吸入・排出パイプ４の雄ねじ７に螺合して前記キャップ６を容器本体２に固定した後、弁当箱内に収納する。
【００１５】
そして、弁当を食する時に、容器本体２のキャップ６を取外して、おかずの上において、該容器本体２の蛇腹部１を圧縮して縮重すると、前記吸入・排出パイプ４の先方の斜め開口部５から、液体調味料８がおかず上に排出され、適量の液体調味料８を前記おかず上に垂らした後、前記蛇腹部１の圧縮状態を解除して、該蛇腹部１は弾発して復元した後、キャップ６を前記吸入・排出パイプ４の雄ねじ７に螺合して、液体調味料の流出を阻止する。
【００１６】
更に、前記吸入・排出パイプ４の先方部は、注射針のように斜めにカットした斜め開口部５を備えて形成されているので、例えば、トンカツのように、液体調味料８をおかず内に沁み込ませたいときは、該斜め開口部５をおかず内に圧入して、容器本体２の蛇腹部１を圧縮して、液体調味料８をおかず内に沁み込ませることもできる。
【００１７】
そして、弁当のおかずに液体調味料８を垂らして使用した後は、蛇腹部１の圧縮と弾発を繰返して、残った液体調味料８を排出して洗浄を繰返すことにより、何度でも再利用することができるので、資源の節約となる。
【符号の説明】
【００１８】
１  蛇腹部
２  容器本体
３  天板
４  吸入・排出パイプ
５  斜め開口部
６  キャップ
８  液体調味料
【図１】
0003199124.tif 000003
【図２】
0003199124.tif 000004
【図３】
0003199124.tif 000005